(57)【要約】【課題】コンソールリッドの開閉操作性が向上するようにする。【解決手段】コンソールリッド２０は、コンソール本体１０に対して回転可能に支持された回転ベース部材２１と、回転ベース部材２１に対しスライド機構４４を介してスライド移動可能に配設されたスライド部材３０とから構成される。連係機構５０は、コンソール本体１０に固定された第１係止円盤５１と、回転ベース部材２１に配設された第２係止円盤５２と、第１係止円盤５１および第２係止円盤５２に夫々接続される第１ワイヤ５５および第２ワイヤ５６とを備える。コンソールリッド２０を開放させる際には第１ワイヤ５５が第１係止円盤５１側へ引っ張られ、コンソールリッド２０を閉成させる際には第２ワイヤ５６が第１係止円盤５１側へ引っ張られる。【選択図】図４
2008290542.tif 000002
【特許請求の範囲】
【請求項１】
コンソール本体の上部に配設され、前記コンソール本体に画成した物品収納部を開閉するコンソールリッドの開閉構造であって、
前記コンソールリッドを構成し、前記コンソール本体に対して回転可能に支持された回転ベース部材と、
前記コンソールリッドを構成し、前記回転ベース部材に対しスライド機構を介してスライド移動可能に配設されたスライド部材と、
前記コンソール本体に固定され、前記コンソールリッドの開閉により前記回転ベース部材との相対位置が変化する第１連係部材と、
前記回転ベース部材に配設され、前記スライド機構と連動する第２連係部材と、
前記第１連係部材および第２連係部材に接続され、前記コンソールリッドの開放動作時における前記第１連係部材と前記回転ベース部材との相対位置変化により、前記第２連係部材を作動して前記スライド部材を開放位置に向けて移動する第１ワイヤと、
前記第１連係部材および第２連係部材に接続され、前記コンソールリッドの閉成動作時における前記第１連係部材と前記回転ベース部材との相対位置変化により、前記第２連係部材を作動して前記スライド部材を閉成位置に向けて移動する第２ワイヤとを備えた
ことを特徴とするコンソールリッドの開閉構造。
【請求項２】
前記第１ワイヤおよび第２ワイヤは、前記回転ベース部材に設けたワイヤ挿通口に挿通した状態で前記第１連係部材および第２連係部材に接続される請求項１記載のコンソールリッドの開閉構造。
【請求項３】
前記第１連係部材は、前記回転ベース部材に固定した第１収容部材に相対的に回転可能に収容されると共に、該第１収容部材に前記ワイヤ挿通口が設けられる請求項２記載のコンソールリッドの開閉構造。
【請求項４】
前記第２連係部材は、前記回転ベース部材に固定した第２収容部材に回転可能に収容され、前記第１ワイヤおよび第２ワイヤは、前記第２収容部材に設けた第２のワイヤ挿通口に挿通した状態で前記第１連係部材および第２連係部材に接続される請求項１〜３の何れか一項に記載のコンソールリッドの開閉構造。
【請求項５】
前記スライド機構は、前記回転ベース部材に回転自在に配設されたピニオンギアと、前記スライド部材に配設されて前記ピニオンギアに噛合するラックギアとからなり、前記ピニオンギアに前記第２連係部材が固定される請求項１〜４の何れか一項に記載のコンソールリッドの開閉構造。
【発明の詳細な説明】
【技術分野】
【０００１】
本発明は、コンソールリッドの開閉構造に関し、更に詳細には、コンソール本体の上部に配設され、前記コンソール本体に画成した物品収納部を開閉するコンソールリッドの開閉構造に関するものである。
【背景技術】
【０００２】
セダンタイプやステーションワゴンタイプ等の自動車の多くには、車内における前部座席間(運転席と助手席との間)のフロアに、フロアコンソールが設置されている。このフロアコンソールは、インジェクション成形部材である合成樹脂製のコンソール本体を主体とし、このコンソール本体には上方へ開口する物品収納部が設けられており、物品を出し入れ可能に収納し得るようになっている。そして、コンソール本体の上部には、物品収納部の上部開口部を開閉するコンソールリッドが配設されており、このコンソールリッドを姿勢変位させることで物品収納部の上部開口部を開閉することができる。
【０００３】
コンソールリッドの開閉構造に関しては、様々な形態が提案されると共に実用化されており、(ａ)回転タイプ、(ｂ)スライドタイプ、(ｃ)回転スライドタイプ等が実用化されている。(ａ)の回転タイプは、例えばヒンジ部材等からなる回転連結機構により、コンソールリッドをコンソール本体に回転可能に配設した開閉構造である。(ｂ)のスライドタイプは、ガイドピンおよびガイドレール等からなるスライド機構により、コンソールリッドがコンソール本体に対してスライド移動可能に配設された開閉構造である。(ｃ)の回転スライドタイプは、前述した回転連結機構およびスライド機構の両方を具備し、コンソールリッドがコンソール本体に対して回転およびスライド移動可能に配設された開閉構造である。この回転スライドタイプの開閉構造を備えたフロアコンソールは、例えば特許文献１に開示されている。
【特許文献１】特開２００６−１５１２９３号公報
【発明の開示】
【発明が解決しようとする課題】
【０００４】
ところで、特許文献１に開示のコンソールリッドの開閉構造では、蓋体(コンソールリッド)を全閉位置から全開位置へ開放させる場合は、先ず蓋体を後方へ略水平にスライド移動させ、次いで該蓋体を後方へ回転するよう構成されている。また、蓋体を全開位置から全閉位置へ閉成させる場合は、先ず蓋体を傾斜状態から水平状態まで回転させ、次いで該蓋体を前方へスライド移動することで行なわれる。すなわち、蓋体の開放操作および閉成操作は、何れもスライド移動と回転との２アクションからなる動作により実現されるようになっており、蓋体の開閉操作をスムーズを行ない得るとは云えない。
【０００５】
また、蓋体のスムーズな開閉動作を補助するため、ボックス本体(コンソール本体)にガイド溝を設けると共に、蓋体の底面には、ガイド溝に係合するガイドピンが配設されたガイドアームが延出している。このため、蓋体を全開位置に開放させた際には、これらガイド溝およびガイドアームが外方へ露出してしまい、見栄えがよくない等の欠点も指摘できる。
【０００６】
そこで本発明では、前述した従来の技術に内在している課題に鑑み、これを好適に解決するべく提案されたものであって、コンソールリッドの開閉操作時に該コンソールリッドの回転とスライド移動とが同時に発現することで、開閉操作性が向上するようにしたコンソールリッドの開閉構造を提供することを目的とする。
【課題を解決するための手段】
【０００７】
前記課題を解決し、所期の目的を達成するため、請求項１に記載の発明は、コンソール本体の上部に配設され、前記コンソール本体に画成した物品収納部を開閉するコンソールリッドの開閉構造であって、
前記コンソールリッドを構成し、前記コンソール本体に対して回転可能に支持された回転ベース部材と、
前記コンソールリッドを構成し、前記回転ベース部材に対しスライド機構を介してスライド移動可能に配設されたスライド部材と、
前記コンソール本体に固定され、前記コンソールリッドの開閉により前記回転ベース部材との相対位置が変化する第１連係部材と、
前記回転ベース部材に配設され、前記スライド機構と連動する第２連係部材と、
前記第１連係部材および第２連係部材に接続され、前記コンソールリッドの開放動作時における前記第１連係部材と前記回転ベース部材との相対位置変化により、前記第２連係部材を作動して前記スライド部材を開放位置に向けて移動する第１ワイヤと、
前記第１連係部材および第２連係部材に接続され、前記コンソールリッドの閉成動作時における前記第１連係部材と前記回転ベース部材との相対位置変化により、前記第２連係部材を作動して前記スライド部材を閉成位置に向けて移動する第２ワイヤとを備えたことを要旨とする。
【０００８】
従って、請求項１に係る発明によれば、コンソールリッドの開放操作時および閉成操作時には、第１連係部材に接続された第１ワイヤまたは第２ワイヤが引っ張られることで第２連係部材が作動し、該第２連係部材の作動に伴ってスライド機構が作動する。すなわち、コンソール本体に対する回転ベース部材の回転と、該回転ベース部材に対するスライド部材のスライド移動とが連動して同時に発現するため、１アクションの動作によりコンソールリッドの開閉操作をスムーズに行ない得る。また、コンソール本体に固定された第１連係部材および回転ベース部材に配設された第２連係部材を、第１ワイヤおよび第２ワイヤで接続するシンプルな構成のため、製造コストが嵩むことを防止できると共に重量増加が殆どない。
【０００９】
請求項２に記載の発明は、前記第１ワイヤおよび第２ワイヤは、前記回転ベース部材に設けたワイヤ挿通口に挿通した状態で前記第１連係部材および第２連係部材に接続されることを要旨とする。
従って、請求項２に係る発明によれば、コンソールリッドを開閉操作すると、回転ベース部材の回転と一体的にワイヤ挿通口が移動し、第１ワイヤおよび第２ワイヤの第１連係部材に接続する部位からワイヤ挿通口までの距離が夫々変化するので、第１ワイヤまたは第２ワイヤに引っ張られて第２連係部材が作動する。
【００１０】
請求項３に記載の発明は、前記第１連係部材は、前記回転ベース部材に固定した第１収容部材に相対的に回転可能に収容されると共に、該第１収容部材に前記ワイヤ挿通口が設けられることを要旨とする。
従って、請求項３に係る発明によれば、コンソールリッドを開閉操作すると、第１収容部材の回転と一体的にワイヤ挿通口が移動し、第１ワイヤおよび第２ワイヤの第１連係部材に接続する部位からワイヤ挿通口までの距離が夫々変化するので、第１ワイヤまたは第２ワイヤに引っ張られて第２連係部材が作動する。
【００１１】
請求項４に記載の発明は、前記第２連係部材は、前記回転ベース部材に固定される第２収容部材に収容され、前記第１ワイヤおよび第２ワイヤは、前記第２収容部材に設けられた開口部を介して前記第１連係部材および第２連係部材に接続されていることを要旨とする。
従って、請求項４に係る発明によれば、第２のワイヤ挿通口が固定されるから、第１ワイヤまたは第２ワイヤの移動を第２連係部材へ確実に伝達でき、第１ワイヤまたは第２ワイヤに引っ張られて第２連係部材が適切に回転する。
【００１２】
請求項５に記載の発明は、前記スライド機構は、前記回転ベース部材に回転自在に配設されたピニオンギアと、前記スライド部材に配設されて前記ピニオンギアに噛合するラックギアとからなり、前記ピニオンギアに前記第２連係部材が固定されることを要旨とする。
従って、請求項５に係る発明によれば、ピニオンギアを第２連係部材で回転させることでスライド部材を確実にスライド移動させると共に、該ピニオンギアを停止させることで該スライド部材を停止保持し得る。
【発明の効果】
【００１３】
本発明に係るコンソールリッドの開閉構造によれば、コンソールリッドの開閉操作時に該コンソールリッドの回転とスライド移動とが同時に発現するので、開閉操作性が向上する。
【発明を実施するための最良の形態】
【００１４】
次に、本発明に係るコンソールリッドの開閉構造につき、好適な実施例を挙げて、添付図面を参照しながら以下説明する。実施例では、車両乗員室内のフロアに設置させるフロアコンソールに、コンソールリッドの開閉構造を実施した場合について説明する。なお実施例では、図１の左右方向が車両の前後方向であるので、これに合わせて図１の左右方向をフロアコンソールの前後方向(左方向が前側)とし、この前後方向に対して交差する方向(図２の左右方向)を、コンソールリッドの左右方向(人が乗車して左方向が左側)とする。
【実施例】
【００１５】
図１は、実施例に係るコンソールリッドの開閉構造を備えたフロアコンソールを、コンソールリッドを全閉位置に保持した状態で一部破断して示した部分側面図である。実施例のフロアコンソールＦＣは、上方に開口する物品収納部１３を画成したコンソール本体１０と、該コンソール本体１０の上部に配設され、物品収納部１３の上部開口部１３Ａを開閉するよう配設されたコンソールリッド２０とを備えている。コンソールリッド２０は、物品収納部１３の上部開口部１３Ａを全面的に閉成する全閉位置(図１)と、上部開口部１３Ａを全面的に開放する全開位置(図７)とに姿勢変位するよう構成されている。
【００１６】
コンソール本体１０は、例えばポリプロピレン(ＰＰ)等の合成樹脂素材からインジェクション成形された合成樹脂製の成形部材であって、図１に示すように、外部意匠面を形成するアウター部材１１と、このアウター部材１１の内部後側部分に収容設置されて前述した物品収納部１３を形成したインナー部材１２とを有する。そして、コンソール本体１０の図示省略した前側部分は、チェンジレバーやドリンクホルダ等の配設部位とされ、前端部分が図示しないインストルメントパネルの中央下部に連結される。また、物品収納部１３の上部開口部１３Ａの周囲が、全閉位置に臨んだコンソールリッド２０のリッド載置面１４となる。なお、インナー部材１２の開口部が、前述した上部開口部１３Ａとなる。また、インナー部材１２の後方支持部１５が、コンソールリッド２０を枢支するリッド枢支軸４１が貫通して固定される支持部として機能する。
【００１７】
コンソールリッド２０は、図１〜図４に示すように、前述したリッド載置面１４に整合して、物品収納部１３の上部開口部１３Ａを全閉し得る形状・サイズとされる。このコンソールリッド２０は、コンソール本体１０に対して回転可能に支持される回転ベース部材２１と、この回転ベース部材２１に対してスライド移動可能に支持されるスライド部材３０とから構成される。
【００１８】
回転ベース部材２１は、ポリプロピレン(ＰＰ)等の合成樹脂素材からインジェクション成形され、上部開口部１３Ａに臨む矩形板状の支持体２８と、この支持体２８に設けられてコンソール本体１０に対して回転可能に連結される第１支持アーム２３および第２支持アーム２４とを備える。支持体２８の大きさは、コンソールリッド２０の真上から見た場合に、スライド部材３０の約半分程度となっている。そして、回転ベース部材２１の左側端および右側端には、スライド部材３０に設けた後述のガイドレール３４,３４が整合するガイド溝２２,２２が、前後方向に延在するように設けられている。第１支持アーム２３および第２支持アーム２４が、支持体２８における左右両端の後方側に設けられて、後方かつ下方へ延出する円弧状に形成されている。これら第１支持アーム２３および第２支持アーム２４は、後述する回転連結機構４０の構成部材をなしている。
【００１９】
回転ベース部材２１は、回転連結機構４０を介して、コンソール本体１０の後側部分に対して回転可能に配設されている。この回転連結機構４０は、前述した第１支持アーム２３および第２支持アーム２４と、コンソール本体１０におけるインナー部材１２の後方支持部１５に挿通された状態で固定されるリッド枢支軸４１とから構成される。各々の支持アーム２３,２４の延出端部には、リッド枢支軸４１の挿通を許容する挿通孔２３Ａ,２４Ａが形成されている。そして回転ベース部材２１は、コンソール本体１０に固定されたリッド枢支軸４１を第１支持アーム２３および第２支持アーム２４の挿通孔２３Ａ,２４Ａに貫通させることで、コンソール本体１０に対して回転可能に枢支されている。これにより回転ベース部材２１は、コンソール本体１０のリッド載置面１４に近接した全閉位置(図１)と、約５０度の前上がり傾斜状態となった全開位置(図７)との間で回転可能となっている。なお、回転ベース部材２１の右端後方側に設けられた第１支持アーム２３の延出端部には取付部２５が形成されており、後述する連係機構５０の第１係止円盤５１(第１連係部材)が収容される取付ベース部材(第１収容部材)５３が固定される。
【００２０】
スライド部材３０は、ポリプロピレン(ＰＰ)等の合成樹脂素材からインジェクション成形され、リッド載置面１４に整合して物品収納部１３の上部開口部１３Ａを全面的に覆蓋する大きさに形成された逆トレー状の部材本体３１を主体としている。この部材本体３１の外面(上面)には、ウレタンフォーム等からなる弾力部材３２と、該弾力部材３２を被覆する表皮材３３が配設されている。従ってスライド部材３０は、全閉位置に臨んでいる状態(図１)において、前部座席を利用する乗員のアームレストとしての機能を具有する。但しスライド部材３０は、前述した部材本体３１だけで構成される場合もある。
【００２１】
部材本体３１における左右の各内側面には、図１〜図４に示すように、コンソールリッド２０の前後方向に延在するガイドレール３４,３４が延設されている。そして、これらガイドレール３４,３４は、回転ベース部材２１に形成された前述の左右のガイド溝２２,２２に対応的に摺動可能に挿通されている。従って、ガイドレール３４,３４が対応のガイド溝２２,２２に沿って摺動することで、スライド部材３０が回転ベース部材２１に対して前後方向へスライド移動するよう構成される。
【００２２】
また、部材本体３１の前端部には、図１、図３および図４に示すように、陥凹部３５が設けられており、この陥凹部３５にはロック解除レバー３６が配設されている。このロック解除レバー３６は、部材本体３１に対して支軸３６Ａにより回転可能に配設され、前方へ延出した指掛部３６Ｂと、下方へ延出した係止部３６Ｃとを有している。この係止部３６Ｃは、コンソールリッド２０が全閉位置に臨んだ際に、コンソール本体１０のリッド載置面１４に設けた被係止部１６に突入係止されて、該コンソールリッド２０を全閉位置にロックするよう機能する。また係止部３６Ｃは、指掛部３６Ｂを上方へ引き上げてロック解除レバー３６を操作すると被係止部１６に対する係止が解除され、コンソールリッド２０の開放を許容するよう構成されている。
【００２３】
前述したスライド部材３０は、スライド機構４４により、回転ベース部材２１の支持体２８に対してスライド移動する。このスライド機構４４は、支持体２８の上面に回転自在に配設された平歯車状のピニオンギア４５と、スライド部材３０における部材本体３１の右側内側面に配設されて、該ピニオンギア４５に噛合したラックギア４６とから構成されている。ピニオンギア４５は、回転ベース部材２１における支持体２８の上面に垂直に立設された回転支持軸４７に枢支され、該支持体２８の上面で回転可能となっている。ラックギア４６は、部材本体３１の右側内側面において、コンソールリッド２０の前後方向(ガイドレール３４の長手方向)へ延在するように配設されている。従ってピニオンギア４５は、スライド部材３０が回転ベース部材２１の支持体２８に沿ってスライド移動する際に、常にラックギア４６に噛合しながら回転するようになっている。換言すると、ピニオンギア４５を回転させることで、回転ベース部材２１に対してスライド部材３０をスライド移動させ得ると共に、該ピニオンギア４５を停止することで、回転ベース部材２１に対してスライド部材３０を停止保持させ得る。なお、ピニオンギア４５の下側には、後述する連係機構５０を構成する第２係止円盤(第２連係部材)５２が固定されており、これらピニオンギア４５と第２係止円盤５２とが一体的に回転するよう構成されている。
【００２４】
実施例のコンソールリッドの開閉構造では、図１〜図４に示すように、回転連結機構４０とスライド機構４４とを連係する連係機構５０を備えている。この連係機構５０は、コンソール本体１０において回転連結機構４０に配設されたプーリ形態の第１係止円盤５１と、コンソールリッド２０においてスライド機構４４に配設されたプーリ形態の第２係止円盤５２と、第１係止円盤５１および第２係止円盤５２に連結される２本のワイヤ５５,５６とを備えている。そして、第１係止円盤５１と第２係止円盤５２およびワイヤ５５,５６からなる連係機構５０は、図５(ａ)に示すように、単一のユニット部材として構成される。なお、以下の説明において、２本のワイヤを第１ワイヤ５５および第２ワイヤ５６と指称して区別する。また後述するように、第１係止円盤５１は、回転ベース部材２１の第１支持アーム２３に設けた第１収容部材としての取付ベース部材５３に回転可能に収容され、第２係止円盤５２は、回転ベース部材２１の支持体２８に設けた第２収容部材としての取付ベース部材５９に回転可能に収容されている。
【００２５】
第１ワイヤ５５および第２ワイヤ５６は、図１または図２等に示すように第１支持アーム２３に沿って配設されるフレキシブルチューブ５４に平行に挿通されており、該フレキシブルチューブ５４中をスライド移動が可能となっている。また、図５(ａ)に示すように、第１ワイヤ５５および第２ワイヤ５６の両端は、フレキシブルチューブ５４の両端から外方へ延出しており、フレキシブルチューブ５４の同じ端部から延出した両ワイヤ５５,５６の端部が、結合部材５７,５７により連結されている。また、フレキシブルチューブ５４の幅方向の中央(第１ワイヤ５５と第２ワイヤ５６との間)には、該フレキシブルチューブ５４の長さ方向全長に亘って延在するワイヤ５８が沿設されており、当該フレキシブルチューブ５４は長さ方向への伸縮が規制されるようになっている。なお、第１ワイヤ５５および第２ワイヤ５６は、これら第１ワイヤ５５と第２ワイヤ５６とを合算した長さに切断された１本のワイヤを準備して、該ワイヤの両端部を一方の結合部材５７で連結すると共に、該ワイヤの中間部分を折曲して該折曲部分に他方の結合部材５７を装着することで形成することも可能である。
【００２６】
第１係止円盤５１および第２係止円盤５２は、図５(ｂ)に示すように、基本的に同一形状に形成されたプーリ形態の円盤状部材であって、回転中心に所要径の挿通孔６０が形成されている。後述するように、第１係止円盤５１の挿通孔６０にはリッド枢支軸４１が挿通され、該リッド枢支軸４１に第１係止円盤５１が固定されると共に、第２係止円盤５２の挿通孔６０には回転支持軸４７が挿通され、該回転支持軸４７に第２係止円盤５２が回転可能に配設される。また、各係止円盤５１,５２の外周端縁には、第１ワイヤ５５および第２ワイヤ５６が巻き掛けられる外周係止溝(ワイヤ係止溝)６１が形成されている。更に、各係止円盤５１,５２における一方の端面には、外周係止溝６１から挿通孔６０の外側周囲に亘って延在する端面係止溝６２が形成されていると共に、該端面係止溝６２に連通する係止凹部６３が形成されている。
【００２７】
そして、第１ワイヤ５５と第２ワイヤ５６とを連結した結合部材５７を、第１係止円盤５１および第２係止円盤５２の係止凹部６３に夫々嵌入すると共に両ワイヤ５５,５６を端面係止溝６２に沿って配設し、端面係止溝６２と外周係止溝６１との連通部分から外周係止溝６１に沿って第１ワイヤ５５と第２ワイヤ５６とを反対方向に巻き掛けることで、両ワイヤ５５,５６に第１係止円盤５１および第２係止円盤５２が取り付けられる。すなわち第１ワイヤ５５は、第１係止円盤５１の端面係止溝６２を境界とした外周係止溝６１の一部分と、第２係止円盤５２の端面係止溝６２を境界とした外周係止溝６１の一部分とに夫々巻き掛けられる。また第２ワイヤ５６は、第１係止円盤５１の端面係止溝６２を境界とした外周係止溝６１の一部分と、第２係止円盤５２の端面係止溝６２を境界とした外周係止溝６１の一部分とに夫々巻き掛けられる。なお、各結合部材５７が係止凹部６３に嵌入することで、第１ワイヤ５５および第２ワイヤ５６は、各係止円盤５１,５２に対して滑ることなく巻き掛けられる。
【００２８】
各取付ベース部材５３,５９は、図５(ａ)および図５(ｂ)に示すように同一形状に形成され、第１係止円盤５１および第２係止円盤５２を夫々収容し得る収容部５３Ａ,５９Ａを有している。ここで、第１係止円盤５１および第２係止円盤５２を対応する取付ベース部材５３,５９の収容部５３Ａ,５９Ａに収容した状態では、収容部５３Ａ,５９Ａを囲む縦壁部５３Ｂ,５９Ｂによりワイヤ５５,５６を巻き掛けた外周係止溝６１の開口が被覆されて、該外周係止溝６１に沿ってワイヤ５５,５６を延在させるよう構成されている。また、各取付ベース部材５３,５９における収容部５３Ａ,５９Ａを囲む縦壁部５３Ｂ,５９Ｂには、フレキシブルチューブ５４が連結される部分に開口部５３Ｃ(第１ワイヤ挿通口),開口部５９Ｃ(第２ワイヤ挿通口)が形成され、第１ワイヤ５５および第２ワイヤ５６は、この開口部５３Ｃ,５９Ｃに挿通された状態でフレキシブルチューブ５４から第１係止円盤５１および第２係止円盤５２に亘って延在している。
【００２９】
このような実施例の連係機構５０は、図５(ａ)に示すように、例えば図示左側の第１係止円盤５１が取付ベース部材５３に対して反時計方向(破線方向)へ相対的に回転すると、第１ワイヤ５５が第１係止円盤５１側(図示左方向)へ引っ張られるので、第２係止円盤５２が取付ベース部材５９に対して反時計方向へ従動回転する。また、両係止円盤５１,５２が反時計方向へ同期的に回転することで、第２ワイヤ５６が第２係止円盤５２側(図示右方向)へ移動する。一方、第１係止円盤５１が取付ベース部材５３に対して時計方向(実線方向)へ相対的に回転すると、第２ワイヤ５６が第１係止円盤５１側(図示左方向)へ引っ張られるので、第２係止円盤５２が取付ベース部材５９に対して時計方向へ従動回転する。また、両係止円盤５１,５２が時計方向へ同期的に回転することで、第１ワイヤ５５が第２係止円盤５２側(図示右方向)へ移動する。すなわち、実施例の連係機構５０は、並行する２本の第１ワイヤ５５および第２ワイヤ５６を備えているため、一方の係止円盤の正逆回転に対して他方の係止円盤も従動的に正逆回転するよう構成されている。しかも、フレキシブルチューブ５４が長さ方向へ伸縮せず、かつ第１ワイヤ５５および第２ワイヤ５６は、第１係止円盤５１および第２係止円盤５２の外周係止溝６１に沿って弛むことなく巻き掛けられているため、第１ワイヤ５５および第２ワイヤ５６に遊びが発生することはなく、第１係止円盤５１の取付ベース部材５３に対する相対的な回転に対して、第２係止円盤５２が確実に従動回転する。
【００３０】
前述のように構成された連係機構５０は、図１〜図４に示すように、第１係止円盤５１を回転連結機構４０に配設すると共に、第２係止円盤５２をスライド機構４４に配設して、回転連結機構４０とスライド機構４４とを連係するよう構成される。ここで、第１係止円盤５１は、インナー部材１２の後方支持部１５に固定されたリッド枢支軸４１を挿通孔６０に挿通させたもとで、該リッド支持軸４１に回転不可能に固定される。また、第１係止円盤５１を収容する取付ベース部材５３は、第１支持アーム２３を回転可能に支持するリッド枢支軸４１を遊嵌的に挿通させたもとで、該第１支持アーム２３の取付部２５に固定される。そして、取付ベース部材５３を取付部２５に固定した際には、図１および図４に示すように、該取付ベース部材５３の開口部５３Ｃと回転ベース部材２１の第１支持アーム２３に設けた配線溝２３Ｂの下端開口部２３Ｃとが整合している。従って第１係止円盤５１は、コンソールリッド２０の開閉動作に伴って第１支持アーム２３(取付ベース部材５３)が回転することで、第１係止円盤５１の端面係止溝６２に沿って開口部５３Ｃが移動するよう構成される。なお第１係止円盤５１は、インナー部材１２における後方支持部１５の側面に固定するようにしてもよい。
【００３１】
ここで、図１に示すように、コンソールリッド２０が全閉位置にある状態において、リッド枢支軸４１に固定された第１係止円盤５１の端面係止溝６２と、第１支持アーム２３に固定された取付ベース部材５３の開口部５３Ｃとが、リッド枢支軸４１を挟んで対向すると共に、第２ワイヤ５６より第１ワイヤ５５の方が前側に位置するよう構成されている。従って、コンソールリッド２０を全閉位置から全開位置に向けて開放動作させると、第１支持アーム２３(取付ベース部材５３)が図１,図６または図７の時計方向へ回転し、これに伴ってリッド支持軸４１に固定されている第１係止円盤５１と取付ベース部材５３との相対位置が変位する(取付ベース部材５３に対して第１係止円盤５１が反時計方向へ相対的に回転する)ことで、開口部５３Ｃが第１係止円盤５１の端面係止溝６２に沿って後方側へ移動し、第１ワイヤ５５が第１係止円盤５１側へ引っ張られる。また、コンソールリッド２０を全開位置から全閉位置に向けて閉成動作させると、第１支持アーム２３(取付ベース部材５３)が図１,図６または図７の反時計方向へ回転し、これに伴ってリッド支持軸４１に固定されている第１係止円盤５１と取付ベース部材５３との相対位置が変化する(取付ベース部材５３に対して第１係止円盤５１が時計方向へ相対的に回転する)ことで、開口部５３Ｃが第１係止円盤５１の端面係止溝６２に沿って前方へ移動し、第２ワイヤ５６が第１係止円盤５１の側へ引っ張られるようになっている。
【００３２】
第２係止円盤５２は、回転ベース部材２１に設けた回転支持軸４７に挿通させたもとで、ピニオンギア４５の下側に固定される。また、第２係止円盤５２を収容する取付ベース部材５９は、回転ベース部材２１の支持体２８の上面に固定されている。すなわち第２係止円盤５２は、ピニオンギア４５と一体的に回転して、回転ベース部材２１に固定された取付ベース部材５９との相対位置が変化する。ここで、図３に示すように、回転ベース部材２１に固定された取付ベース部材５９は、第１ワイヤ５５および第２ワイヤ５６を挿通する開口部５９Ｃが後方へ開口するよう形成される。そして、コンソールリッド２０が全閉位置にある状態では、第２係止円盤５２の端面係止溝６２と、回転ベース部材２１に固定された取付ベース部材５９の開口部５９Ｃとが回転支持軸４７を挟んで対向するよう設定されている。従って、第１ワイヤ５５が引っ張られた場合には、第２係止円盤５２と取付ベース部材５９との相対位置が変化し、該第２係止円盤５２が図３の時計方向に回転することで回転ベース部材２１に対してスライド部材３０が後方へ移動する。また、第２ワイヤ５６が引っ張られた場合には、第２係止円盤５２が図３の反時計方向へ回転することで、回転ベース部材２１に対してスライド部材３０が前方へ移動する。
【００３３】
一方、第１ワイヤ５５および第２ワイヤ５６が挿通されたフレキシブルチューブ５４は、図４に示すように、第１支持アーム２３の長手方向に沿って設けた配線溝２３Ｂに配設され、回転ベース部材２１の支持体２８に形成した開口２６を介して該支持体２８の上面側へ延出するよう構成される。また配線溝２３Ｂは、第１支持アーム２３に取り付けられる図示しない蓋部材により閉成され、コンソールリッド２０が全開位置に開放した際に、フレキシブルチューブ５４がフロアコンソールＦＣの外方へ露出しないようになっている。そして、第１係止円盤５１および該第１係止円盤５１を組付けた取付ベース部材５３はコンソール本体１０内に配設されるので、フロアコンソールＦＣの外方へ露出しない。更に、第２係止円盤５２および該第２係止円盤５２を組付けた取付ベース部材５９はコンソールリッド２０内に配設されるので、フロアコンソールＦＣの外方へ露出しない。すなわち、連係機構５０の各構成部材は、コンソールリッド２０を全開位置に臨ませた場合でも、フロアコンソールＦＣの外方へ露出しないよう構成されている。
【００３４】
フロアコンソールＦＣに配設された連係機構５０は、コンソールリッド２０の開放動作時には、図６に示すように、回転連結機構４０における各支持アーム２３,２４がリッド枢支軸４１に対して後方側(図１において時計方向)へ回転するので、第１支持アーム２３に固定された取付ベース部材５３は、リッド枢支軸４１に固定された第１係止円盤５１に対し時計方向へ回転する。このとき、取付ベース部材５３に収容された第１係止円盤５１は回転しないから、該取付ベース部材５３の開口部５３Ｃと第１係止円盤５１の端面係止溝６２との相対位置が変化する。すなわち、開口部５３Ｃが端面係止溝６２に沿って後方側へ移動するので、取付ベース部材５３内の第１係止円盤５１においては、第１ワイヤ５５を巻き掛ける経路が長くなる一方で、第２ワイヤ５６を巻き掛ける経路が短くなる。ここで、第１ワイヤ５５および第２ワイヤ５６は、前記フレキシブルチューブ５４に挿通されているから、第１係止円盤５１から第２係止円盤５２に至る距離に変化はない。すなわち、コンソールリッド２０を開放操作すると、第１ワイヤ５５が第１係止円盤５１側に引っ張られる。そして、第１ワイヤ５５および第２ワイヤ５６は、取付ベース部材５９に設けた開口部５９Ｃに挿通した状態で第２係止円盤５２に巻き掛けられているので、該第２係止円盤５２は図３において回転支持軸４７を中心として時計方向へ回転し、ピニオンギア４５が図３において時計方向へ回転する。従って、実施例のコンソールリッドの開閉構造では、全閉位置に臨んでいるコンソールリッド２０を全開位置の方向へ回転させると、連係機構５０における第２係止円盤５２の回転により、スライド機構４４のピニオンギア４５が図３において時計方向へ回転するので、スライド部材３０は、回転ベース部材２１に対して図３の右方向、すなわちコンソール本体１０の後方側へスライド移動するよう構成される。そして、コンソールリッド２０が全開位置に臨んだ際には、図７に示すように、スライド部材３０が回転ベース部材２１に対して後方側へ所要量(例えば１００ｍｍ程度)スライド移動する。
【００３５】
また連係機構５０は、コンソールリッド２０の閉成動作時には、回転連結機構４０における各支持アーム２３,２４がリッド枢支軸４１に対して前方側(図１において反時計方向)へ回転するので、第１支持アーム２３に固定された取付ベース部材５３は、リッド枢支軸４１に固定された第１係止円盤５１に対し反時計方向へ回転する。このとき、取付ベース部材５３に収容された第１係止円盤５１は回転しないから、該取付ベース部材５３における開口部５３Ｃと第１係止円盤５１の端面係止溝６２との相対位置が変化する。すなわち、開口部５３Ｃが端面係止溝６２に沿って前方側へ移動するので、取付ベース部材５３内の第１係止円盤５１においては、第２ワイヤ５６を巻き掛ける経路が長くなる一方で、第１ワイヤ５５を巻き掛ける経路が短くなる。すなわち、コンソールリッド２０を閉成操作すると、第２ワイヤ５６が第１係止円盤５１側に引っ張られる。そして、第１ワイヤ５５および第２ワイヤ５６は、取付ベース部材５９に設けた開口部５９Ｃに挿通した状態で第２係止円盤５２に巻き掛けられているので、該第２係止円盤５２は図３において回転支持軸４７を中心として反時計方向へ回転し、ピニオンギア４５が図３において反時計方向へ回転する。従って、実施例のコンソールリッドの開閉構造では、全開位置に臨んでいるコンソールリッド２０を全閉位置の方向へ回転させると、連係機構５０における第２係止円盤５２の回転により、スライド機構４４のピニオンギア４５が図３において反時計方向へ回転するので、スライド部材３０は、回転ベース部材２１に対して図３の左方向、すなわちコンソール本体１０の前方側へスライド移動するよう構成される。
【００３６】
(実施例の作用)
実施例のコンソールリッドの開閉構造を備えたフロアコンソールＦＣは、コンソールリッド２０を全閉位置に臨ませると、図１に示すように、該コンソールリッド２０は、リッド載置面１４に載置されて物品収納部１３の上部開口部１３Ａを覆蓋する。また、ロック解除レバー３６の係止部３６Ｃが、コンソール本体１０の被係止部１６に係止され、コンソールリッド２０は全閉位置にロックされる。なお、コンソールリッド２０が全閉位置に臨んでいる場合は、ピニオンギア４５がラックギア４６の後端近傍部分に噛合している(図１、図３)。
【００３７】
コンソールリッド２０を開放する際には、ロック解除レバー３６の指掛部３６Ｂを上方へ引いて被係止部１６に対する係止部３６Ｃの係止を解除したもとで、スライド部材３０の前端部を後上方へ引き上げて、コンソールリッド２０を後方側へ回転させる。コンソールリッド２０の開放操作を開始すると、図６に示すように、第１支持アーム２３の回転に伴って取付ベース部材５３がリッド枢支軸４１を中心に回転し、該リッド枢支軸４１に固定された第１係止円盤５１と該取付ベース部材５３との相対位置が変化する。すなわち、取付ベース部材５３の開口部５３Ｃが第１係止円盤５１の端面係止溝６２に沿って後方側へ移動するので、第１ワイヤ５５が第１係止円盤５１側へ引っ張られる。第１ワイヤ５５が第１係止円盤５１側へ引っ張られることで、回転ベース部材２１に枢支された第２係止円盤５２およびスライド機構４４におけるピニオンギア４５が前述のように回転する。従って、ピニオンギア４５に噛合しているラックギア４６が後方側へ移動し、スライド部材３０が回転ベース部材２１に対して後方側へスライド移動する。すなわち、コンソールリッド２０の開放操作時には、コンソール本体１０に対する回転ベース部材２１の後方側への回転と、該回転ベース部材２１に対するスライド部材３０の後方側へのスライド移動とが同時に発現するので、該コンソールリッド２０は１アクションで全閉位置から全開位置まで姿勢変位する。
【００３８】
コンソールリッド２０を閉成する際には、傾斜状態にあるスライド部材３０の上端部を前下方へ押し下げて、コンソールリッド２０を前方側へ回転させる。コンソールリッド２０の閉成操作を開始すると、第１支持アーム２３の回転に伴って取付ベース部材５３がリッド枢支軸４１を中心に開放時とは逆方向へ回転し、該リッド枢支軸４１に固定された第１係止円盤５１と該取付ベース部材５３との相対位置が変化する。すなわち、取付ベース部材５３の開口部５３Ｃが第１係止円盤５１の端面係止溝６２に沿って前方側へ移動するので、第２ワイヤ５６が第１係止円盤５１側へ引っ張られる。第２ワイヤ５６が第１係止円盤５１側へ引っ張られることで、回転ベース部材２１に枢支された第２係止円盤５２およびスライド機構４４におけるピニオンギア４５が開放時とは逆方向へ回転する。従って、ピニオンギア４５に噛合しているラックギア４６が前方側へ移動し、スライド部材３０が回転ベース部材２１に対して前方側へスライド移動する。すなわち、コンソールリッド２０の閉成操作時にも、コンソール本体１０に対する回転ベース部材２１の前方側への回転と、該回転ベース部材２１に対するスライド部材３０の前方側へのスライド移動とが同時に発現するため、該コンソールリッド２０は１アクションで全開位置から全閉位置まで姿勢変位する。
【００３９】
従って、実施例のコンソールリッドの開閉構造によれば、次のような作用効果を奏する。先ず、回転連結機構４０の第１支持アーム２３とスライド機構４４のピニオンギア４５とが、連係機構５０における第１ワイヤ５５および第２ワイヤ５６により連係され、第１係止円盤５１に接続された第１ワイヤ５５または第２ワイヤ５６に引っ張られることで第２係止円盤５２が回転し、該第２係止円盤５２の回転に伴ってスライド機構４４が作動する。従って、コンソールリッド２０の開放操作時には、コンソール本体１０に対する回転ベース部材２１の回転と、該回転ベース部材２１に対するスライド部材３０のスライド移動とが連動して同時に発現するため、１アクションの動作によりコンソールリッド２０の開放操作が円滑になされる。また、コンソールリッド２０の閉成操作時においても、コンソール本体１０に対する回転ベース部材２１の回転と、該回転ベース部材２１に対するスライド部材３０のスライド移動とが連動して同時に発現するので、１アクションの動作によりコンソールリッド２０の閉成操作が円滑になされる。また連係機構５０は、コンソール本体１０に固定された第１係止円盤５１および回転ベース部材２１に配設された第２係止円盤５２を、第１ワイヤ５５および第２ワイヤ５６で接続するシンプルな構成のため、製造コストが嵩むことを防止できると共に重量増加が殆どない。
【００４０】
なお、第１ワイヤ５５または第２ワイヤ５６は、コンソールリッド２０を開閉操作すると、取付ベース部材５３に設けた開口部５３Ｃが該取付ベース部材５３の回転に伴って移動することで、第１ワイヤ５５の第１係止円盤５１に巻き掛けられる部分の長さと第２ワイヤ５６の第１係止円盤５１に巻き掛けられる部分の長さとが夫々変化するため、第２係止円盤５２が回転するようになる。また、第１ワイヤ５５および第２ワイヤ５６が、第１支持アーム２３内に配設されると共に、第１係止円盤５１および第２係止円盤５２が、コンソール本体１０内およびコンソールリッド２０内に夫々配設されている。従って、連係機構５０の各構成部材がフロアコンソールＦＣの外部に露出しないので、コンソールリッド２０を全開位置に臨ませた際に見栄えが悪くなることもない。
【００４１】
(別実施例)
図８は、別実施例に係るコンソールリッドの開閉構造を備えたフロアコンソールを、コンソールリッドを全閉位置に保持した状態で一部破断して示した部分側面図である。この別実施例のフロアコンソールＦＣは、コンソール本体１０の上部後端部にリッド枢支軸４１を回転不能に固定し、回転ベース部材２１の支持体２８を該リッド枢支軸４１に直接連結した形態となっている。すなわち回転ベース部材２１は、支持体２８の後端縁部から下方へ突出した連結ボス部９０を有し、この連結ボス部９０にリッド枢支軸４１を挿通することで、コンソール本体１０に回転可能に連結されている。そして、連係機構５０におけるフレキシブルチューブ５４(第１ワイヤ５５および第２ワイヤ５６)を挿通するワイヤ挿通口９１が、支持体２８の後端部に形成されている。
【００４２】
また連係機構５０は、基本的構成は前述した実施例と同様であり、第１係止円盤５１がリッド枢支軸４１に回転不能に固定され、第２係止円盤５２が回転支持軸４７に挿通されたもとでピニオンギア４５の下面に固定され、これら第１係止円盤５１および第２係止円盤５２が第１ワイヤ５５および第２ワイヤ５６で接続されている。但し、別実施例の開閉機構では、第１係止円盤５１を収容する取付ベース部材５３を有しておらず、第１ワイヤ５５および第２ワイヤ５６を挿通する前述のワイヤ挿通口９１が、第１係止円盤５１の外周係止溝６１に直接臨むよう構成されている。すなわち、第１ワイヤ５５および第２ワイヤ５６は、ワイヤ挿通口９１に挿通した状態で第１係止円盤５１および第２係止円盤５２に接続されている。
【００４３】
別実施例の開閉構造では、コンソールリッド２０の開放操作を開始すると、図８および図９に示すように、回転ベース部材２１の支持体２８がリッド枢支軸４１を中心に後方側へ回転し、該リッド枢支軸４１に固定された第１係止円盤５１と該回転ベース部材２１(ワイヤ挿通口９１)との相対位置が変化する。すなわち、回転ベース部材２１のワイヤ挿通口９１が第１係止円盤５１の端面係止溝６２に沿って後方側へ移動するので、前述した実施例と同様に、第１ワイヤ５５が第１係止円盤５１側へ引っ張られる。従って、第２係止円盤５２およびスライド機構４４におけるピニオンギア４５が前述のように回転し、スライド部材３０が回転ベース部材２１に対して後方側へスライド移動する。
【００４４】
また、コンソールリッド２０の閉成操作を開始すると、図８および図９に示すように、回転ベース部材２１の支持体２８がリッド枢支軸４１を中心に前方側へ回転し、該リッド枢支軸４１に固定された第１係止円盤５１と該回転ベース部材２１(ワイヤ挿通口９１)との相対位置が変化する。すなわち、回転ベース部材２１のワイヤ挿通口９１が第１係止円盤５１の端面係止溝６２に沿って前方側へ移動するので、第２ワイヤ５６が第１係止円盤５１側へ引っ張られる。従って、第２係止円盤５２およびスライド機構４４におけるピニオンギア４５が開放時とは逆方向へ回転し、スライド部材３０が回転ベース部材２１に対して前方側へスライド移動する。
【００４５】
従って、別実施例に係るコンソールリッドの開閉構造においても、コンソールリッド２０の開放操作時および閉成操作時には、コンソール本体１０に対する回転ベース部材２１の回転と、該回転ベース部材２１に対するスライド部材３０のスライド移動とが連動して同時に発現するため、１アクションの動作によりコンソールリッド２０の開閉操作が円滑になされ、前述した実施例と同等の作用効果を奏する。
【００４６】
なお、前述した別実施例では、第２係止円盤５２を収容する取付ベース部材５９を備えた場合を例示したが、該取付ベース部材５９は省略することも可能である。すなわち、第１ワイヤ５５および第２ワイヤ６６が挿通するワイヤ挿通部を、第２係止円盤５２の端面係止溝６２に臨むように支持体２８の上面に設けることで、取付ベース部材５９を省略することが可能となる。
【００４７】
前述した別実施例では、前述した実施例と同様に、第１係止円盤５１を収容する取付ベース部材５３を、回転ベース部材２１の支持体２８に固定するように配設してもよい。
【００４８】
前述した実施例では、前述した別実施例のように、第１係止円盤５１を収容する取付ベース部材５３を省略した構成とすることが可能である。このように取付ベース部材５３を省略した場合には、第１支持アーム２３に設けた配設溝２３Ｂにおける下端開口部２３Ｃが第１係止円盤５１の端面係止溝６２に臨み、該下端開口部２３Ｃがワイヤ挿通口として機能する。更に、第２係止円盤５２を収容する取付ベース部材５９を省略した構成とすることも可能である。
【００４９】
前述した実施例および別実施例では、第１連係部材５１および第２連係部材５２を、プーリ形態の係止円盤とした場合を例示したが、これら連係部材５１,５２の形状は円盤に限定されない。例えば、第１ワイヤ５５および第２ワイヤ５６の延在方向(フレキシブルチューブ５４の長手方向)と交差する方向へ延在して、リッド枢支軸４１に固定または回転支持軸４７に回転可能に枢支されるレバー状部材の両端に、第１ワイヤ５５および第２ワイヤ５６の端部を係合させるようにしてもよい。更に、第１連係部材５１および第２連係部材５２は、扇形態の盤状部材等としてもよい。
【００５０】
前述した実施例では、第１ワイヤ５５および第２ワイヤ５６を挿通させたフレキシブルチューブ５４を、第１支持アーム２３に形成した配線溝２３Ｂに配設する形態を例示したが、このフレキシブルチューブ５４は、コンソール本体１０の後端上面とコンソールリッド２０の後端下面との間を通すように配設してもよい。
【００５１】
前述した実施例および別実施例では、コンソールリッド２０がコンソール本体１０の後方側へ開放する形態のフロアコンソールを例示したが、本願が対象とするフロアコンソールの開閉構造は、コンソールリッド２０がコンソール本体１０の前方側へ開放する形態のフロアコンソールや、コンソールリッド２０がコンソール本体１０の横方向(右側または左側)へ開放する形態のフロアコンソールも含まれる。
【産業上の利用可能性】
【００５２】
本発明に係るコンソールリッドの開閉構造は、コンソール本体の上部に配設され、前記コンソール本体に画成した物品収納部を開閉するよう構成したもので、車両乗員室内のフロアに設置されるフロアコンソール等に好適に実施可能である。
【図面の簡単な説明】
【００５３】
【図１】実施例に係るコンソールリッドの開閉構造を備えたフロアコンソールを、コンソールリッドを全閉位置に保持した状態で一部破断して示した部分側面図である。
【図２】図１のII−II線断面図である。
【図３】図１のIII−III線断面図である。
【図４】回転連結機構、スライド機構および連係機構を概略的に示した斜視図である。
【図５】(ａ)は、連係機構として採用されるワイヤ機構の構成を示した説明図であり、(ｂ)は、係止円盤の構成を示した斜視図である。
【図６】図１に示したフロアコンソールを、コンソールリッドの開放途中状態で一部破断して示した部分側面図である。
【図７】図１に示したフロアコンソールを、コンソールリッドが全開位置に到来した状態で一部破断して示した部分側面図である。
【図８】別実施例に係るコンソールリッドの開閉構造を備えたフロアコンソールを、コンソールリッドを全閉位置に保持した状態で一部破断して示した部分側面図である。
【図９】図８に示したフロアコンソールを、コンソールリッドが全開位置に到来した状態で一部破断して示した部分側面図である。
【符号の説明】
【００５４】
１０ コンソール本体，１３ 物品収納部，２０ コンソールリッド，２１ 回転ベース部材
２３ 第１支持アーム(開閉支持部)，３０ スライド部材，４４ スライド機構
４５ ピニオンギア，４６ ラックギア，５１ 第１係止円盤(第１連係部材)
５２ 第２係止円盤(第２連係部材)，５３ 取付ベース部材(第１収容部材)
５３Ｃ 開口部(ワイヤ挿通口)，５５ 第１ワイヤ，５６ 第２ワイヤ
５９ 取付ベース部材(第２収容部材)，５９Ｃ 開口部(ワイヤ挿通口)
９１ ワイヤ挿通口
【図１】
2008290542.tif 000003
【図２】
2008290542.tif 000004
【図３】
2008290542.tif 000005
【図４】
2008290542.tif 000006
【図５】
2008290542.tif 000007
【図６】
2008290542.tif 000008
【図７】
2008290542.tif 000009
【図８】
2008290542.tif 000010
【図９】
2008290542.tif 000011